(57)【要約】【課題】簡単な構造で、載置陳列状態と吊下げ陳列状態を容易に切替えられる物品陳列用治具を提供すること。【解決手段】正面に物品を保持する物品保持部８を設けた主プレート２と、主プレート２を支持する支持プレート３とを具備する。支持プレート３は、下端部に設けた第１の折曲自在部４を介して主プレート２に連結される。第１の折曲自在部４から所定寸法上方に離間する位置に第２の折曲自在部５を形成し、さらに主プレート２に設けた支持プレートガイド部１２，１３により、主プレート２の裏面に沿って上下動自在となっている。支持プレート３を上限まで移動した際、その上部は主プレート２の上端から突出して吊下部３ｂ，３ｃを形成し、吊下げ陳列状態になる。支持プレート３を下限まで移動した際、その上部は主プレート２の上端より下降し且つ第２の折曲自在部５が後方に突出して主プレート立設支持部１４を形成し、載置陳列状態になる。【選択図】図１
2018033820.tif 000002
【特許請求の範囲】
【請求項１】
正面に物品を保持する物品保持部を設けた主プレートと、前記主プレートを支持する支持プレートとを具備し、
前記支持プレートは、その下端部に設けた第１の折曲自在部を介して前記主プレートに連結されており、またこの第１の折曲自在部から所定寸法上方向に離間する位置に第２の折曲自在部が形成され、さらに前記主プレートに設けた支持プレートガイド部により、前記主プレートの裏面に沿って案内されて所定の範囲で上下動自在となっており、
前記支持プレートを上限まで移動させたときは、その上部は前記主プレートの上端から突出して前記主プレートを吊下げ治具に吊下げる吊下部を形成し、一方前記支持プレートを下限まで移動させたときは、その上部は前記主プレートの上端より下降し、且つ前記第２の折曲自在部が後方に突出して主プレート立設支持部を形成することを特徴とする物品陳列用治具。
【請求項２】
請求項１に記載の物品陳列用治具であって、
前記支持プレートは、前記第２の折曲自在部から上方に離間する第３の折曲自在部と、前記第３の折曲自在部から上方に離間する第４の折曲自在部とを有し、さらにその先端側部分が折り返されて前記主プレートに固着されていることを特徴とする物品陳列用治具。
【請求項３】
請求項１又は２に記載の物品陳列用治具であって、
前記支持プレートガイド部は、前記支持プレートの左右両辺近傍に位置する前記主プレートの所定部分を、一部を残して切欠いた切欠き片とし、切欠いた部分に前記支持プレートの左右両辺近傍部分を挿入して前記支持プレートをその裏面側から支持することを特徴とする物品陳列用治具。
【請求項４】
請求項１に記載の物品陳列用治具であって、
前記支持プレートは、その上端を自由端とし、前記支持プレートを上限まで移動させたときは、その上端は前記主プレートの上端より突出し、前記支持プレートを下限まで移動させたときは、その上端は前記主プレートの上端より下降することを特徴とする物品陳列用治具。
【請求項５】
請求項１に記載の物品陳列用治具であって、
前記支持プレートは、前記第２の折曲自在部から上方に離間する第３の折曲自在部を設け、前記第３の折曲自在部より上方の部分を下方に折り曲げて下方折曲部を形成し、この下方折曲部の下端を自由端とし、
前記支持プレートガイド部は、前記下方折曲部の部分を所定の範囲で上下動自在に案内し、
前記支持プレートを上限まで移動させたときは、前記第３の折曲自在部は前記主プレートの上端より突出し、前記支持プレートを下限まで移動させたときは、前記第３の折曲自在部は前記主プレートの上端より下降することを特徴とする物品陳列用治具。
【請求項６】
請求項１に記載の物品陳列用治具であって、
前記支持プレートは、前記第２の折曲自在部から上方に離間する第３の折曲自在部を設け、前記第３の折曲自在部から上方部分の上端を自由端とし、前記上端から下方の所定の位置の側辺に外側に突出する突起部を設け、この突起部から下方の所定の位置の側辺に外側に突出するロック爪を設け、
前記支持プレートガイド部は、前記支持プレートの突起部とロック爪の間に位置し、
前記支持プレートを上限まで移動させたときは、前記支持プレートの上端は前記主プレートの上端より突出し、前記支持プレートを下限まで移動させたときは、前記支持プレートの上端は前記主プレートの上端より下降すると共に、前記支持プレートの突起部が前記支持プレートガイド部に係止され、且つ前記ロック爪が前記支持プレートガイド部に係止されて支持プレートの上方への移動を停止させることを特徴とする物品陳列用治具。
【発明の詳細な説明】
【技術分野】
【０００１】
本発明は、被陳列物品を保持したまま、陳列棚や陳列台上に載置し、又は吊下げ具に吊下げて陳列できる物品陳列用治具に関するものである。
【背景技術】
【０００２】
従来、被陳列物品をパッケージ内に収容し、パッケージごと陳列棚やテーブル等に載置して陳列したり、陳列エリアに吊下げ陳列する技術としては、特許文献１に開示されたパッケージがある。また、被陳列物品を包装箱に収容し、被陳列物品を包装箱ごと載置し、又は包装箱ごと吊下げ具に吊下げて陳列する技術としては、特許文献２に開示された包装箱がある。
【先行技術文献】
【特許文献】
【０００３】
【特許文献１】特公昭４４−３１６２６号公報
【特許文献２】特開２０１６−４１５９８号公報
【発明の概要】
【発明が解決しようとする課題】
【０００４】
特許文献１に開示された技術は、四角の底を有するパッケージの中に陳列する小物物品を保持するカードを複数枚収容すると共に、パッケージの外からカードに保持させた小物物品の内容情報等が識別できるようにし、前記複数枚のカードをパッケージごと載置陳列するか、パッケージごと吊下げて陳列するものである。また、特許文献２に開示された技術は、被陳列物品を包装箱に収容し、被陳列物品を包装箱ごと載置し又は包装箱ごと吊下げて陳列するものである。
【０００５】
上記特許文献１に開示された技術は、パッケージの構成が複雑であると同時に、パッケージは一度使用したら破棄することが前提であり、再利用することが極めて困難か、不可能となっている。また、特許文献２に開示された技術は、包装箱が複雑な構成であり、一度使用したら破棄することが前提であり、再利用することが困難な構成となっている。
【０００６】
本発明は上述の点に鑑みてなされたもので、極めて簡単な構成で、特にハンカチ、マフラー、スカーフ等のそれ自身では一定の立体形状を維持できない被陳列物品であっても適正な状態に保持し、簡単な操作で載置陳列状態にしたり、吊下げ陳列状態にすることができる、何度も使用することが可能な物品陳列用治具を提供することを目的とする。
【課題を解決するための手段】
【０００７】
上記の課題を解決するため、本発明にかかる物品陳列用治具は、正面に物品を保持する物品保持部を設けた主プレートと、前記主プレートを支持する支持プレートとを具備し、前記支持プレートは、その下端部に設けた第１の折曲自在部を介して前記主プレートに連結されており、またこの第１の折曲自在部から所定寸法上方向に離間する位置に第２の折曲自在部が形成され、さらに前記主プレートに設けた支持プレートガイド部により、前記主プレートの裏面に沿って案内されて所定の範囲で上下動自在となっており、前記支持プレートを上限まで移動させたときは、その上部は前記主プレートの上端から突出して前記主プレートを吊下げ治具に吊下げる吊下部を形成し、一方前記支持プレートを下限まで移動させたときは、その上部は前記主プレートの上端より下降し、且つ前記第２の折曲自在部が後方に突出して主プレート立設支持部を形成することを特徴としている。
【０００８】
また、本発明は、上記物品陳列用治具であって、前記支持プレートは、前記第２の折曲自在部から上方に離間する第３の折曲自在部と、前記第３の折曲自在部から上方に離間する第４の折曲自在部とを有し、さらにその先端側部分が折り返されて前記主プレートに固着されていることを特徴としている。
【０００９】
上記物品陳列用治具において、支持プレートには、第３の折曲自在部を挟んで線対称の位置に吊下げ用穴を形成することで吊下部を構成することが好ましい。
【００１０】
また、本発明は、上記物品陳列用治具であって、前記支持プレートガイド部は、前記支持プレートの左右両辺近傍に位置する前記主プレートの所定部分を、一部を残して切欠いた切欠き片とし、切欠いた部分に前記支持プレートの左右両辺近傍部分を挿入して前記支持プレートをその裏面側から支持することを特徴としている。
【００１１】
また、本発明は、上記物品陳列用治具であって、前記支持プレートは、その上端を自由端とし、前記支持プレートを上限まで移動させたときは、その上端は前記主プレートの上端より突出し、前記支持プレートを下限まで移動させたときは、その上端は前記主プレートの上端より下降することを特徴としている。
【００１２】
また、本発明は、上記物品陳列用治具であって、前記支持プレートは、前記第２の折曲自在部から上方に離間する第３の折曲自在部を設け、前記第３の折曲自在部より上方の部分を下方に折り曲げて下方折曲部を形成し、この下方折曲部の下端を自由端とし、前記支持プレートガイド部は、前記下方折曲部の部分を所定の範囲で上下動自在に案内し、前記支持プレートを上限まで移動させたときは、前記第３の折曲自在部は前記主プレートの上端より突出し、前記支持プレートを下限まで移動させたときは、前記第３の折曲自在部は前記主プレートの上端より下降することを特徴としている。
【００１３】
また、本発明は、上記物品陳列用治具であって、前記支持プレートは、前記第２の折曲自在部から上方に離間する第３の折曲自在部を設け、前記第３の折曲自在部から上方部分の上端を自由端とし、前記上端から下方の所定の位置の側辺に外側に突出する突起部を設け、この突起部から下方の所定の位置の側辺に外側に突出するロック爪を設け、前記支持プレートガイド部は、前記支持プレートの突起部とロック爪の間に位置し、前記支持プレートを上限まで移動させたときは、前記支持プレートの上端は前記主プレートの上端より突出し、前記支持プレートを下限まで移動させたときは、前記支持プレートの上端は前記主プレートの上端より下降すると共に、前記支持プレートの突起部が前記支持プレートガイド部に係止され、且つ前記ロック爪が前記支持プレートガイド部に係止されて支持プレートの上方への移動を停止させることを特徴としている。
【発明の効果】
【００１４】
本発明によれば、物品を吊下げ又は載置できる物品陳列用治具を極めて簡単に構成できる。
また支持プレートを上限又は下限に移動させるだけの簡単な操作で、物品陳列用治具を吊下げ状態又は載置状態にできる。また支持プレートを上限まで移動したときは、支持プレートの上部の吊下部が主プレートの上端より突出するので、その吊下げが容易に行え、一方、支持プレートを下限まで移動したときは、支持プレートの上部の吊下部が主プレートの正面側から見えなくなるので、その美感を増大できる。
【図面の簡単な説明】
【００１５】
【図１】物品陳列用治具１の外観例を示す図である。
【図２】他の物品陳列用治具１の外観例を示す図である。
【図３】他の物品陳列用治具１の外観例を示す図である。
【図４】他の物品陳列用治具１の外観例を示す図である。
【図５】他の物品陳列用治具１の外観例を示す図である。
【図６】他の物品陳列用治具１の外観例を示す図である。
【図７】他の物品陳列用治具１を載置陳列状態にして主プレートを正面側から見た図である。
【図８】図８（ａ）は物品陳列用治具の支持プレートに設けられる折曲自在部の構成例を示す平面図、図８（ｂ）はその側面図である。
【発明を実施するための形態】
【００１６】
以下、本発明の実施の形態について、詳細に説明する。図１は本発明に係る物品陳列用治具１の外観例を示す図で、同図（ａ）は物品陳列用治具１を吊下げ陳列状態にして主プレートの裏面側から見た斜視図、同図（ｂ）は物品陳列用治具１を載置陳列状態にして主プレートの裏面側から見た斜視図、同図（ｃ）は物品陳列用治具１を載置陳列状態にして主プレートの正面側から見た斜視図である。
【００１７】
図示するように、本物品陳列用治具１は、主プレート２と支持プレート３とを具備する構成である。主プレート２及び支持プレート３はそれぞれ厚紙や合成樹脂シート等の適度な剛性及び弾性を有する材料からなるプレート材である。主プレート２は矩形状で、その正面には陳列する物品を保持させる物品保持部（以下「物品保持部材」という）８が取り付けられている。物品保持部材８はここでは主プレート２及び支持プレート３と同様、適度な剛性及び弾性を有する材料からなる所定の長さと幅を有するプレート材をドーム状に湾曲させ、その上下両端辺を主プレート２の正面に固着した構成である。なお、この物品保持部材８の形状はドーム状に限定されるものでなく、被陳列物品の種類、形状、陳列目的等に応じて被陳列物品を適切に保持して展示できる構成であれば、その形状や構造や材料の種類等はどのようなものであってもよいことは当然である。
【００１８】
支持プレート３はその幅寸法が主プレート２のそれより小さい長方形状（長尺帯状）のプレートであり、主プレート２をその長手方向を上下方向にして配置した状態で、主プレート２の下端辺と支持プレート３の下端辺との間に直線状に形成された第１の折曲自在部４を介在させて主プレート２と支持プレート３とを一体的に接続した構成（例えば、厚紙等の板状体を主プレート２と支持プレート３を一体的に接続した状態で裁断して形成した構成）としている。そして主プレート２の下端辺と支持プレート３の下端辺の境界部に直線状に第１の折曲自在部４を形成した構成である。
【００１９】
更に、支持プレート３には図１（ａ）に示すように、第１の折曲自在部４から上方に所定寸法離れた位置に支持プレート３を左右に横断するように直線状に第２の折曲自在部５を形成している。同様に、第２の折曲自在部５から上方に所定寸法離れた位置に直線状の第３の折曲自在部６を、第３の折曲自在部６から上方に所定寸法離れた位置に直線状の第４の折曲自在部７を形成し、更に第４の折曲自在部７より先端側の折り返した部分を主プレート２の裏面に固着している。即ち、ここでは支持プレート３の上下方向の両端部はそれぞれ第１の折曲自在部４と第４の折曲自在部７を介在させて主プレート２に固定（接続）され、支持プレート３は主プレート２の裏面に沿って、所定の上限と下限の範囲で上下方向に摺動（移動）できるようになっている。つまり第１〜４の折曲自在部４〜７を設けることにより、それぞれこの部分の剛性を弱め、支持プレート３に折り曲げ力が加わった場合にその折曲自在部を折曲げ中心として支持プレート３が容易に折れ曲がるようにしたものである。
【００２０】
主プレート２の裏面の支持プレート３の左右両側辺の近傍の所定位置には、平面視コ字状の切欠き、即ち一部を残して切欠いた切欠き片からなる支持プレートガイド部１２，１３が形成されている。支持プレートガイド部１２，１３は、支持プレート３が上下方向に摺動（移動）するのを支持案内する作用を有すると共に、支持プレート３を主プレート２の裏面に向けて押圧する作用を有している。このように主プレート２に支持プレートガイド部１２、１３を設け、支持プレートガイド部１２、１３により、支持プレート３の左右両側辺近傍部分を押圧することにより、支持プレート３の左右両側辺近傍を支持プレートガイド部１２、１３と主プレート２の裏面との間に挟持することになり、支持プレート３を上下方向に移動させると摩擦力が発生する。つまり支持プレート３に指等により上方又は下方に移動させる力を加え、この力が前記摩擦力を超えると支持プレート３は上方又は下方に移動する。
【００２１】
上記のように支持プレート３にこの支持プレート３を横断するように、第１の折曲自在部４、第２の折曲自在部５、第３の折曲自在部６、第４の折曲自在部７を形成している。そして第１の折曲自在部４の部分が主プレート２に接続されていると共に、第４の折曲自在部７の部分が主プレート２に接続されている。支持プレート３は支持プレートガイド部１２、１３に支持・案内され、上記のように所定の上限及び下限範囲で上下方向に摺動できるようになっている。
【００２２】
なお、上記例では、支持プレート３の第１の折曲自在部４側を主プレート２と一体に形成した構成となっているが、主プレート２と支持プレート３を別体に切断形成した後、第１の折曲自在部４のさらに先端側（第２の折曲自在部５から離れる方向の側）の部分を主プレート２の下辺部の正面又は裏面に固着した構成としてもよい。また支持プレート３の第４の折曲自在部７側を主プレート２と一体に形成しても良い。
【００２３】
支持プレート３の幅方向中央部の第３の折曲自在部６を挟む上下方向の所定位置には、物品陳列用治具１を吊下げるための吊下げ用穴３ｂ、３ｃが対称（線対称）に形成されている。支持プレート３を上方に移動させ、支持プレート３が上限位置に達すると、図１（ａ）に示すように、支持プレート３は第３の折曲自在部６を折曲げ中心として折曲し、その両側が重なり合う。そしてその重なり合った部分が主プレート２の上端辺から上方に突出すると共に、吊下げ用穴３ｂ、３ｃが互いに重なり合い１個の吊下げ用穴（吊下部）となる。この重なり合った吊下げ用穴に図示しない、棒状の吊下げ治具を挿入することにより、図１（ａ）に示す物品陳列用治具１は、この吊下げ治具に吊下げられる。
【００２４】
上記吊下げられた物品陳列用治具１の主プレート２の正面に取り付けられた物品保持部材８のドーム内に被陳列物品を収納保持させることにより、被陳列物品を陳列することができる。例えば、物品保持部材８を透明な材料で構成すると、ドーム内に位置する部分の被陳列物品の色彩や形状等を容易に把握できる。例えば、ハンカチ、マフラー、スカーフ等のそれ自身では所定の立体形状を維持できない被陳列物品の特徴を容易に把握できる。
【００２５】
また、図１（ａ）に示すように吊下げ状態にある物品陳列用治具１の支持プレート３に指等で下方に移動させる力を加え、支持プレート３を下限位置まで移動させ下限位置に達すると、図１（ｂ）に示すように、支持プレート３の下端は第１の折曲自在部４を折曲げ中心として後方に回動し、第２の折曲自在部５が後方に突出すると共に、第２の折曲自在部５から第３の折曲自在部６側が湾曲する。そして第３の折曲自在部６に近づくに伴って主プレート２の裏面に接近し、支持プレートガイド部１２、１３の位置では完全に主プレート２の裏面に接触し押圧される。またこのとき、図１（ｂ），（ｃ）に示すように、支持プレート３の上部は主プレート２の上端より下降し、吊下部を構成する部分は主プレート２の正面側からは見えなくなり、その美感が増大する。
【００２６】
上記のように支持プレート３を下限まで下方に摺動させたときに、主プレート２の裏面側に第２の折曲自在部５を頂部とする支持プレート３の突出部１４が形成される。そしてこの突出部１４の底面は平坦であり、物品陳列用治具１を陳列棚等の棚面や台面上に載置すると、主プレート２の下端辺や突出部１４の底面が棚面や台面に当接した状態で主プレート２は立設する。このように突出部１４は主プレート２の立設を支持する支持部として作用することになる。また、主プレート２を安定に立設するためには、突出部１４の底面と主プレート２の正面で形成される角度は９０度以下にすることが望ましい。
【００２７】
また、物品保持部材８に保持された被陳列物品の重量により、主プレート２が下方に押圧されて主プレート２を倒すように作用することにより、支持プレート３を図１（ａ）に示す状態に向けて移動しようとする力が作用する。この力を何らのロック機構も設けることなく、主プレート２の裏面と支持プレート３及び支持プレートガイド部１２、１３の面の間に発生する摩擦力で相殺しようとすると、この摩擦力を適度に大きくする必要がある。そしてこの摩擦力は主に、支持プレートガイド部１２、１３が支持プレート３を主プレート２の裏面に押圧する弾性力に左右されるから、この弾性力を適度に大きくしておく必要がある。
【００２８】
図２は本発明に係る物品陳列用治具１の他の外観例を示す図で、同図（ａ）は物品陳列用治具１を吊下げ陳列状態にして裏面側から見た斜視図、同図（ｂ）は物品陳列用治具１を載置陳列状態にして裏面側から見た斜視図である。本物品陳列用治具１が図１に示す物品陳列用治具１と異なるのは、図１では、主プレート２に支持プレートガイド部１２、１３を設けているのに対して、本物品陳列用治具１では図２（ａ）、（ｂ）に示すように主プレート２の所定位置に支持プレート３を横切り、且つ支持プレート３の左右両側辺部を包み込むように１つの支持プレートガイド部１６を設けた点である。他の部分は図１の物品陳列用治具１と同一である。
【００２９】
支持プレートガイド部１６は、例えば主プレート２及び支持プレート３と同一又は同質の板状体を長方形状（帯状）にした部材からなり、支持プレート３を横切ってその両端部が支持プレート３の左右両側辺近傍で主プレート２の裏面側に折り曲がり、この折り曲がった部分を主プレート２の裏面に固着した構成となっている。主プレート２の下端辺と支持プレート３の下端辺の境界部に第１の折曲自在部４を形成した点、支持プレート３に第２の折曲自在部５、第３の折曲自在部６、第４の折曲自在部７を形成した点、更に第４の折曲自在部７からその先端側の部分を主プレート２の裏面に固着した点も図１に示す物品陳列用治具１と同一である。
【００３０】
上記のように主プレート２の裏面の所定位置に支持プレートガイド部１６を取り付け、支持プレートガイド部１６と主プレート２の裏面で形成する空間に支持プレート３を挿通し、支持プレート３の上下両端部を主プレート２に接続することにより、支持プレート３は、図１に示す物品陳列用治具１と同様、上限及び下限範囲で上下方向に摺動できるようになる。
【００３１】
そして支持プレート３が上限に達すると図２（ａ）に示すように、支持プレート３の上端部は第３の折曲自在部６を折曲げ中心として折り曲げられ、この折り曲げられた部分は第３の折曲自在部６を頂部として主プレート２の上端辺から上方に突出する。また、支持プレート３が下限に達すると図２（ｂ）に示すように、主プレート２の裏面側に第２の折曲自在部５を頂部とする支持プレート３による底面が平坦な突出部１４が形成される。
【００３２】
上記のように支持プレート３を上限まで摺動させると、主プレート２の上端辺から上方に突出する第３の折曲自在部６を頂部とする突出部が形成され、突出部の吊下げ用穴３ｂ，３ｃが重なり合った吊下げ用穴に上記のように吊下げ治具を挿入することにより、物品陳列用治具１を吊下げることができる。また、支持プレート３を下限まで摺動させると、主プレート２の裏面側に第２の折曲自在部５を頂部とする支持プレート３の突出部１４が形成され、この突出部１４の下面を陳列棚等の棚面や台面上に載置すると、主プレート２の下端辺や突出部１４の底面が棚面や台面に当接した状態で主プレート２は立設し、この立設を突出部１４が支える。
【００３３】
図３は本発明に係る物品陳列用治具１の他の外観例を示す図で、同図（ａ）は物品陳列用治具１を吊下げ陳列状態にして主プレート２の裏面側から見た斜視図、同図（ｂ）は物品陳列用治具１を載置陳列状態にして主プレート２の裏面側から見た斜視図である。本物品陳列用治具１が図１に示す物品陳列用治具１と異なる点は、図１に示す物品陳列用治具１では、支持プレート３の第４の折曲自在部７の先端側を、主プレート２の裏面に固着しているのに対して、本物品陳列用治具１では、支持プレート３の上端部は固定しない自由端となっている点である。
【００３４】
また、本物品陳列用治具１では、支持プレート３の上端部分を主プレート２の裏面から離れる側に折り曲げ（折り返し）、折曲げ部３ａを支持プレート３の対向する面に重ね合わせて固着している。そしてこの重ね合わせて固着した部分に物品陳列用治具１を吊下げるための吊下げ用穴（吊下部）３ｅを穿設している。そして折曲げ部３ａの下端辺と支持プレート３の面との間に対して段部３ｄを形成している。図１の物品陳列用治具１の支持プレートガイド部１２、１３に相当する支持プレートガイド部１８、１９は、その上下方向の寸法を支持プレートガイド部１２、１３のそれより長くすると共に、その設ける位置を支持プレートガイド部１２、１３のそれより支持プレート３の上端側に近づけている。これにより、支持プレートガイド部１８、１９により支持プレート３を押圧する力を大きくすると共に、支持プレート３の上端部から支持プレートガイド部１８、１９までの長さを短くしている。
【００３５】
そして本物品陳列用治具１の支持プレート３には図１（ａ）に示す物品陳列用治具１と同様、主プレート２の下辺との境界部分に第１の折曲自在部４、その上方に第２の折曲自在部５、第３の折曲自在部６を設けている。図１（ａ）の第４の折曲自在部７に相当する折曲自在部は設けられていない。主プレート２の裏面と対向する支持プレート３の間に発生する摩擦力は、支持プレート３を押圧する支持プレートガイド部１８、１９の押圧力に依存するから、上記のように支持プレートガイド部１８、１９の上下方向の寸法を長くし、その弾性力を大きくしたことにより、本物品陳列用治具１では、支持プレート３は主プレート２の裏面との大きい摩擦力により支持されることになり、支持プレート３の上端部を自由端としても、支持プレート３は容易に上方又は下方に移動しないことになる。
【００３６】
支持プレート３を上方に移動させ、上限に達すると図３（ａ）に示すように支持プレート３の上部は主プレート２の上端から突出すると共に、支持プレート３は支持プレートガイド部１８、１９により押圧され、主プレート２の裏面に圧接されると共に、第３の折曲自在部６の左右両端部も支持プレートガイド部１８、１９によって主プレート２の裏面側に押圧される。このため、第３の折曲自在部６の折曲自由度も抑制され、折曲部３ａを含む支持プレート３の主プレート２の上端辺から上方に突出する部分も、支持プレート３の剛性により、ふらつくことがなく安定した状態に支持される。
【００３７】
また図３（ｂ）に示すように、支持プレート３を下方に移動させ折曲げ部３ａの下端辺で構成される段部３ｄが支持プレートガイド部１８、１９の上端辺に当接すると、支持プレート３のそれ以上の下方への移動は阻止される。このように支持プレート３の下方への移動は段部３ｄが支持プレートガイド部１８、１９の上端辺に当接すると阻止されるから、この段部３ｄが支持プレートガイド部１８、１９に当接する位置が支持プレート３の下限位置となる。このとき支持プレート３の上部は、主プレート２の上端より下降していて、主プレート２の正面側からは隠れる。また、支持プレート３が下限位置に達すると、第３の折曲自在部６が支持プレートガイド部１８、１９の下端辺に達し、支持プレートガイド部１８、１９による第３の折曲自在部６の折曲自由度の抑制は解除される。
【００３８】
これにより、支持プレート３の第１の折曲自在部４と第２の折曲自在部５と第３の折曲自在部６を折曲げ中心として第２の折曲自在部５が主プレート２の裏面側に突出するように折り曲げられる。このとき上記のように第３の折曲自在部６の支持プレートガイド部１８、１９による折曲自由度の抑制は解除されているから、支持プレート３の第３の折曲自在部６を折曲げ中心とする折り曲げ作用に支障はない。
【００３９】
これにより、主プレート２の裏面側に第２の折曲自在部５を頂部とする支持プレート３の突出部１４が形成される。そして突出部１４の平坦な底面を陳列棚等の棚面や台面に載置すると、図１，図２で説明したのと同様に、主プレート２は立設する。
【００４０】
図４は本発明に係る物品陳列用治具１の他の外観例を示す図で、同図（ａ）は物品陳列用治具１を吊下げ陳列状態にして主プレート２の裏面側から見た斜視図、同図（ｂ）は物品陳列用治具１を載置陳列状態にして主プレート２の裏面側から見た斜視図である。本物品陳列用治具１は、図４に示すように、支持プレート３の下端辺と主プレート２の下端辺の境界部に第１の折曲自在部４を形成し、更に第２の折曲自在部５、第３の折曲自在部６を形成しており、これらの点は図１に示す物品陳列用治具１と同一であるが、本物品陳列用治具１では第４の折曲自在部７を形成することなく、第３の折曲自在部６を折曲げ中心としてその先端側の部分を主プレート２側に折り曲げ、折曲げ部３ｈを形成している。そして折曲げ部３ｈを主プレート２の裏面の所定位置をコ字状に切欠いて設けた一対の切欠き片である支持プレートガイド部１２、１３の面と主プレート２の裏面の間の間隙に挿入して下方に延伸させ、更に折曲げ部３ｈを主プレート２の裏面に摺動自在としてその先端を自由端としている。
【００４１】
上記のように、支持プレート３の折曲げ部３ｈを主プレート２の裏面に沿って摺動自在とし、その先端を自由端とし、支持プレート３の折曲げ部３ｈを、主プレート２の裏面に押圧するので、支持プレート３を上方又は下方に移動させると、折曲げ部３ｈと主プレート２の摺接面に摩擦力が発生する。そして支持プレート３に前記摩擦力を超える力を加え上方向に移動させることにより、上限に達すると支持プレート３は第１の折曲自在部４から第３の折曲自在部６まで第１の折曲自在部４、第２の折曲自在部５及び第３の折曲自在部６を折曲げ中心として折り曲がり平面状に延びると共に、第３の折曲自在部６を頂辺とする折曲げ部３ｈを含む支持プレート３の上端部は主プレート２の上端から突出し、本物品陳列用治具１は吊下げ陳列状態となる。そしてこの突出部に本物品陳列用治具１を吊下げるための吊下げ用穴３ｉが穿設されている。吊下げ用穴３ｉは、前記図１に示す吊下げ用穴３ｂ，３ｃと同様に、重ね合わせることで１つの穴を形成する２つの穴によって構成されている。
【００４２】
また、図４（ａ）の状態から、支持プレート３に上記摩擦力を超える力を加え下方向に移動させることより、支持プレート３が下限に達すると、図４（ｂ）に示すように、支持プレート３は第１の折曲自在部４、第２の折曲自在部５及び第３の折曲自在部６を折曲げ中心として折れ曲がり、主プレート２の裏面に第２の折曲自在部５を頂部とする突出部１４が形成される。この時、支持プレート３の折曲がりに際して、支持プレート３は第３の折曲自在部６を折曲げ中心として主プレート２の裏面から離間するようにスムーズに折り曲がると共に、第３の折曲自在部６の内面は支持プレートガイド部１２、１３の上端に当接することになる。突出部１４の底面を陳列棚等の棚面や台面上に載置すると、図１，図２で説明したのと同様に、主プレート２は立設する。
【００４３】
図５は本発明に係る物品陳列用治具１の他の外観例を示す図で、同図（ａ）は物品陳列用治具１を吊下げ陳列状態にして主プレート２の裏面側から見た斜視図で、同図（ｂ）は物品陳列用治具１を載置陳列状態にして主プレート２の裏面側から見た斜視図である。本物品陳列用治具１は、図５に示すように、主プレート２の下端辺と支持プレート３の下端辺の境界部に第１の折曲自在部４を形成し、更に第２の折曲自在部５、第３の折曲自在部６を形成する点は、図１に示す物品陳列用治具１と同一であるが、本物品陳列用治具１では第４の折曲自在部７を形成することなく、第３の折曲自在部６から先端側の部分の先端部分を主プレート２の裏面から離れる方向に向けて折り返して折曲げ部３ａを形成し、折曲げ部３ａを含む支持プレート３の上端部を自由端としている。
【００４４】
主プレート２の上端から所定寸法下方位置には支持プレート３を横切るように、帯状の支持プレートガイド部１８が設けられている。支持プレートガイド部１８は、支持プレート３を支持し、且つ支持プレート３を主プレート２の裏面に沿って上下方向に案内する。支持プレート３は所定の上限及び下限の範囲で上方又は下方に移動できるようになっており、支持プレートガイド部１８は上記のように支持プレート３を横切り、且つ支持プレート３の両側から外側に位置する部分を主プレート２の裏面に固着している。そして支持プレート３に上方に移動させる力を加えることにより、支持プレート３は上方に移動し、上限に達すると図５（ａ）に示すように平板状に伸長して、物品陳列用治具１は吊下陳列状態になる。
【００４５】
支持プレート３を下限まで移動させたときは、上記他の物品陳列用治具１と同様、主プレート２の裏面側に第２の折曲自在部５を頂部とする支持プレート３の突出部１４が形成される。また、支持プレート３が下限に到達したときは、折曲げ部３ａの下端で形成された段部３ｄが帯状の支持プレートガイド部材１８の上端１８ａに当接し、支持プレート３のそれ以上の下降を阻止するから、支持プレート３の突出部１４が変形したり崩れることはない。即ち、支持プレート３の折曲げ部３ａと帯状の支持プレートガイド部１８とは、支持プレート３が下限以上に下降するのを阻止するロック機構を構成している。
【００４６】
図６は本発明に係る物品陳列用治具１の他の外観例を示す図で、同図（ａ）は物品陳列用治具１を吊下げ陳列状態にして主プレート２の裏面側から見た平面図、同図（ｂ）は物品陳列用治具１を載置陳列状態にして主プレート２の裏面側から見た斜視図である。本物品陳列用治具１は、図６に示すように、支持プレート３の下端部と主プレート２の下端部の境界部に第１の折曲自在部４を形成し、更に支持プレート３に第２の折曲自在部５、第３の折曲自在部６を形成する点は、図１に示す物品陳列用治具１と同一であるが、支持プレート３の上端部は自由端としている。また支持プレート３の下端部と主プレート２の下端部の幅寸法を同一とし、支持プレート３を下限まで移動させ、主プレート２の裏面側に第２の折曲自在部５を頂部とする支持プレート３の突出部１４を形成したとき、突出部１４の底面の面積は図１に示す物品陳列用治具１に比べて大きくなるようにしている。
【００４７】
支持プレート３の一側辺の所定位置には外側に突起するロック爪３ｆが形成されており、ロック爪３ｆから所定寸法上方に離れた位置の両側辺にはそれぞれ外側に突起する突起部３ｇ，３ｇが設けられている。なお、ロック爪３ｆの下辺は外側に向かって上方向に傾斜する傾斜面となっている。また、主プレート２には図１に示す物品陳列用治具１と同様、支持プレートガイド部１２、１３が設けられ、その弾性力で支持プレート３を主プレート２の裏面に押圧するようになっている。ロック爪３ｆの上辺と突起部３ｇの下辺は水平であり、これら両辺の間隔寸法は、支持プレートガイド部１３の上下方向の長さ寸法より若干大きくなっている。
【００４８】
上記構成の物品陳列用治具１において、図６（ａ）に示す吊下げ陳列状態、即ち支持プレート３が上下方向に延びきった状態から支持プレート３を下方に移動させると、支持プレート３は第１の折曲自在部４、第２の折曲自在部５及び第３の折曲自在部６を折曲げ中心とし折れ曲がり、主プレート２の裏面下端部に図６（ｂ）に示すように、第２の折曲自在部５を頂部とする突出部１４が形成される。この支持プレート３の下降時、ロック爪３ｆの下辺は外側に向かって上方向に傾斜する傾斜面となっているから、ロック爪３ｆは支持プレートガイド部１３の上端辺と主プレート２裏面の間の間隙を、支持プレートガイド部１３を押し退けるようにスムーズに移動する。ロック爪３ｆが支持プレートガイド部１３を通過すると、支持プレートガイド部１２，１３の上端辺に左右両突起部３ｇの下辺が当接し、その移動が停止される。これによって物品陳列用治具１は載置陳列状態となる。
【００４９】
この載置陳列状態で主プレート２の正面の物品保持部材８に被陳列物品を保持させ、この被陳列物品を保持させた物品陳列用治具１をその突出部１４の底面を陳列棚等の載置面に当接させ陳列することにより、被陳列物品は載置面から離間した位置に適正に陳列されることになる。また、この陳列により、物品陳列用治具１の支持プレート３が上下方向に移動、特に上方向に移動しようとすると、支持プレートガイド部１２、１３により支持プレート３を主プレート２の裏面に押圧していることから発生する摩擦力でその移動は抑制されるが、更にここではロック爪３ｆを設けているから、ロック爪３ｆの上辺が支持プレートガイド部１３の下端辺に当接するので、支持プレート３の上方への移動は確実に阻止できる。なお、ここではロック爪３ｆを支持プレート３の一側辺にのみ設けているが、さらに強いロックによる係止を得たいような場合は、両側辺に設けてもよいことは当然である。
【００５０】
なお、上記実施形態例では、主プレート２にその正面が長方形状に形成されたプレートを用いたが、例えば図７に示すように、主プレート２の輪郭をリスの形状とし、その正面の適正位置に物品保持部材を装着する物品保持部材装着エリア２０を設けた構成の主プレート２としてもよい。そして主プレート２の裏面に、例えば図６（ａ）に示すような支持プレート３を取り付けることで、物品陳列用治具１を構成する。そして主プレート２の裏面側に支持プレート３の突出部１４を形成した状態で、支持プレート３の上端部がリスの形状をした主プレート２の頂部から突出しない構成とする。
【００５１】
輪郭がリス形状の主プレート２の正面に取り付けた物品保持部材に被陳列物品を保持させ陳列した場合、被陳列物品を保持したリスが被陳列物品を抱え込んでいる状態のイメージとなる。特に載置陳列状態の場合は、リスの頭部上に支持プレート３の頂部が突出していないので、リスが被陳列物品を抱え込んでいるイメージを阻害することが無い。
【００５２】
ところで、支持プレート３に設ける第１〜第４の折曲自在部４，５，６，７としては、支持プレート３を折曲自在とするものであればどのような構成でも良いが、ここでは図８（ａ）、（ｂ）に示すように厚紙等の適正な弾力性及び剛性を有するプレート材をプレス加工等により一面に細帯状に凸部１０１を形成すると共に、他面のこの凸部１０１に対応する位置に凹部１０２部を形成した構成を採用している。このような構成とすることにより、支持プレート３に折り曲げ力を加え、それが所定以上となると、凸部１０１及び凹部１０２を折曲げ中心として支持プレート３は所定の方向に折れ曲がる。即ち、ここでは支持プレート３に凸部１０１及び凹部１０２を設けることにより、その剛性は凸部１０１及び凹部１０２を設けていない部分より小さくなり、支持プレート３はこの凸部１０１及び凹部１０２を形成した折曲自在部を折曲げ中心として折れ曲がることになる。
【００５３】
以上、本願発明の実施形態を説明したが、本発明は上記実施形態に限定されるものではなく、特許請求の範囲、及び明細書と図面に記載された技術的思想の範囲内において種々の変形が可能である。なお、直接明細書及び図面に記載がない何れの形状や構造であっても、本発明の作用効果を奏する以上、本願発明の技術的範囲内である。例えば、上記実施形態では、主プレート２の正面輪郭形状を長方形、リスの形状としたが、これに限定されるものではなく、例えばカンガルー形状とし、お腹の袋部分に被陳列物品を収納する構成等種々の形態が可能である。また、上記記載及び各図で示した実施形態は、その目的及び構成等に矛盾がない限り、互いの記載内容を組み合わせることが可能である。また、上記記載及び各図の記載内容は、その一部であっても、それぞれ独立した実施形態になり得るものであり、本発明の実施形態は上記記載及び各図を組み合わせた一つの実施形態に限定されるものではない。
【符号の説明】
【００５４】
１    物品陳列用治具
２    主プレート
３    支持プレート
３ａ    折曲げ部
３ｂ    吊下げ用穴（吊下部）
３ｃ    吊下げ用穴（吊下部）
３ｄ    段部
３ｅ    吊下げ用穴（吊下部）
３ｆ    ロック爪
３ｇ    突起部
３ｈ    折曲げ部
３ｉ    吊下げ用穴（吊下部）
４    第１の折曲自在部
５    第２の折曲自在部
６    第３の折曲自在部
７    第４の折曲自在部
８    物品保持部材（物品保持部）
１２    支持プレートガイド部
１３    支持プレートガイド部
１４    突出部（主プレート立設支持部）
１６    支持プレートガイド部
１８    支持プレートガイド部
１９    支持プレートガイド部
２０    物品保持部材装着エリア
１０１    凸部
１０２    凹部
【図１】
2018033820.tif 000003
【図２】
2018033820.tif 000004
【図３】
2018033820.tif 000005
【図４】
2018033820.tif 000006
【図５】
2018033820.tif 000007
【図６】
2018033820.tif 000008
【図７】
2018033820.tif 000009
【図８】
2018033820.tif 000010